【事件の表示】
　平成　４年特許願第３２００３８号「テレビジョン受像機」拒絶査定に対する審判事件［平成　６年　６月１４日出願公開、特開平　６−１６９４３８］について、次のとおり審決する。
【結　論】
　本件審判の請求は、成り立たない。
【理　由】
１．手続きの経緯、本願発明
　本願は、平成４年１１月３０日の出願であって、その特許請求の範囲の請求項１に係る発明は、平成１３年１１月１２日付け、および平成１４年５月１３日付けの各手続補正書により補正された明細書および図面の記載からみて、請求項１に記載された次のとおりのものと認めることができる。
「子画面用映像信号を作る子画面作成回路と、
　子画面用映像信号と親画面用映像信号とを選択的に出力する切換手段とを設け、
　前記子画面作成回路の子画面用映像信号の出力タイミングと前記切換手段の切換タイミングを同期して可変できるよう構成して子画面の位置を複数の基準位置に選択的に変位できるテレビジョン受像機において、
　通常モードと子画面移動モードとを選択的に選択するモード選択手段を設け、
　前記子画面移動モードの選択時には、カーソル移動データを子画面移動データとして用い、該子画面移動データに基づき前記出力タイミングと前記切換タイミングとをシフトできるよう構成すると共に、
　前記子画面移動モードの選択時には、前記カーソルの表示形状を変更させることを特徴とするテレビジョン受像機。」
　
２．引用例
　これに対して、原査定の拒絶理由に引用された特開昭６３−２９００７９号公報（昭和６３年１１月２８日公開、以下「引用例１」という。）、特開平３−８９６７８号公報（平成３年４月１５日公開、以下「引用例２」という。）には、それぞれ次のとおりの記載がなされている。
　
［引用例１］
  名称を「２画面テレビジョン受像機」とする発明について、
（ａ）上記発明の２画面テレビジョン受像機は、主画面上に副画面を縮小して表示する場合に副画面を主画面上の適宜の位置に設定し得るようにしたものであること（第１頁右下欄１２ないし１５行目）。
（ｂ）その構成は、「フィールドメモリを有し、このメモリに対して副画面の映像信号をサンプリングして書き込み、その書き込みデータを副画面の縮小比に応じて読み出し、その読出しデータを主画面表示データに対して重畳すべく副画面表示データとして出力する信号処理手段と、この信号処理手段に対して前記フィールドメモリからデータを読み出す読出し開始タイミングを与えて副画面の主画面上における水平，垂直表示位置を設定するためのものであって、主画面同期信号のタイミングでカウントを開始し、可変可能に設定されるプリセット値までカウントしたところでデータ読出し開始信号を出力する副画面位置設定用のカウンタ手段と、前記信号処理手段の書込み、読出しを制御すると共に前記カウンタ手段の前記プリセット値を外部指令に基づいてインクリメント，ディクリメントする制御を行い、副画面の位置を上下左右の任意の方向に移動可能としかつ副画面の位置が主画面の上下左右の各辺の端まで移動した時には副画面を反対側の辺の端に移動させるべく前記プリセット値を移動すべき端の位置に対応した値に自動的に置換する制御を行う制御手段とを具備した」ものであること（第１頁の特許請求の範囲）。
（ｃ）その具体例（第１図）では、ディジタル信号処理回路２６（上記信号処理手段）から読み出された副画面表示データは、上記主画面表示データに対する重畳のために、輝度信号及び色信号切換回路１８，１９（第４図）に出力される（主画面表示データと切り換え表示される）ようになされていること（第４頁左下欄１０ないし１３行目）。
（ｄ）上記構成によれば、上下方向への移動によって副画面が主画面の四辺の端まで移動した場合には、副画面を主画面の辺の端から端に速やかに移動させることができ、主画面の映像を邪魔しない位置を選択する上で有利であること（第５頁右上欄１１ないし１５行目）。
　
［引用例２］
  名称を「位置依存遠隔制御装置を備えたテレビジョン受信機」とする発明に関し、
（イ）テレビジョン画像のメニューフィールドに表示される４つの付加的なプログラムの小さい画像の１つにカーソルｃｒを移動し、クリックキーを押すことによって対応したプログラムが主プログラムとして選択されるようにすること（第６頁右上欄下から４行目ないし同頁左下欄３行目、第５図（ａ））。
（ロ）また、カーソルを十字ｒｋおよび長方形フレームｒｒとし、可動の長方形フレームｒｒによって付加的なプログラムの小さい画像の位置をスクリーン上で自由に選択できるようにし、そのために、上記小さい画像はクリック命令ｃｋによってカーソルに結合され、所望の位置で次のクリック命令ｃｋによってカーソルより解除されるようになされており、このようなモードでは、制御プロセッサｐｒがカーソルのｘ，ｙ座標値に応じてフレームメモリｍｒ中の大きい画像と小さい画像の各書き込みアドレスを変化させるようになされていること（第６頁左下欄４行目ないし最下行、第５図（ｂ））。
　
３．対比
［３．１］本願の前記請求項１に係る発明（以下「本願発明」という。）と引用例１に記載された発明（以下「引用発明」という。）とを対比すると次のことが認められる。
（１）両者はいずれもテレビジョン受像機を対象とするもので、本願発明のテレビジョン受像機は、「子画面用映像信号を作る子画面作成回路と、子画面用映像信号と親画面用映像信号とを選択的に出力する切換手段とを設け」たものであることを前提とするものであるところ、引用発明のテレビジョン受像機も、本願発明でいう上記子画面作成回路、切換手段にそれぞれ相当するものであることが明らかな「信号処理手段」（前掲記載（ｂ））、「輝度信号及び色信号切換回路１８、１９」（前掲記載（ｃ））を備えている。
（２）また、本願発明のテレビジョン受像機は、「前記子画面作成回路の子画面用映像信号の出力タイミングと前記切換手段の切換タイミングを同期して可変できるよう構成して子画面の位置を複数の基準位置に選択的に変位できる」ものであることを前提とするものであるところ、引用発明のテレビジョン受像機も、引用例の前掲記載（ａ）から明らかなように、副画面（本願発明でいう子画面）位置を適宜変位できるもので、特に引用例の前掲記載（ｂ）、（ｄ）によれば、副画面の位置が主画面（本願発明でいう親画面）の上下左右の各辺の端まで移動した時には副画面を反対側の辺の端に自動的に移動させる（副画面位置設定用のカウンタ手段のプリセット値を移動すべき端の位置に対応した値に自動的に置換する）というのであるから、本願発明と同様「子画面の位置を複数の基準位置に選択的に変位できる」ものといえ、また、そのような子画面位置の変位を行う上で、引用発明のテレビジョン受像機でも、上記信号処理手段の副画面表示データ（本願発明でいう子画面作成回路の子画面用映像信号）の出力タイミングと前記切換回路の切換タイミングが同期して可変されるべきことは特に明示がなくとも明らかであるから、これらの点でも引用発明のテレビジョン受像機は本願発明のテレビジョン受像機と格別違いがない。
（３）本願発明は、上記テレビジョン受像機において、「子画面移動データに基づき前記出力タイミングと前記切換タイミングとをシフトできるよう構成する」点を要件とするものであるが、引用発明も、副画面位置設定用のカウンタ手段のプリセット値を外部指令に基づいてインクリメント、ディクリメントして副画面の位置を上下左右の任意の方向に移動可能とする（つまり上記副画像表示データの出力タイミングと上記切換回路の切換タイミングとをシフト可能とする）のであるから（前掲記載（ｂ））、本願発明でいう上記要件と変わりがない要件を備えたものといえる。
（４）もっとも、本願発明では、上記子画面移動データに基づく出力タイミングと切換タイミングのシフトを行うために、「通常モードと子画面移動モードとを選択的に選択するモード選択手段を設け、前記子画面移動モード選択時には、カーソル移動データを子画面移動データとして用い」るようにし、かつ「前記子画面移動モードの選択時には、前記カーソルの表示形状を変更させる」ようにしているのに対し、引用発明ではそのような点についての開示はない。
　
［３．２］以上の対比結果によれば、本願発明と引用発明との一致点、相違点は次のとおりであると認めることができる。
［一致点］両者はいずれも、
「子画面用映像信号を作る子画面作成回路と、子画面用映像信号と親画面用映像信号とを選択的に出力する切換手段とを設け、前記子画面作成回路の子画面用映像信号の出力タイミングと前記切換手段の切換タイミングを同期して可変できるよう構成して子画面の位置を複数の基準位置に選択的に変位できるテレビジョン受像機において、子画面移動データに基づき前記出力タイミングと前記切換タイミングとをシフトできるよう構成したテレビジョン受像機」であるといえる点。
［相違点］
（１）上記子画面移動データに基づく出力タイミングと切換タイミングのシフトを行うために、本願発明では、「通常モードと子画面移動モードとを選択的に選択するモード選択手段を設け、前記子画面移動モード選択時には、カーソル移動データを子画面移動データとして用い」るようにしているのに対し、引用発明ではそのような点についての開示はない点。
（２)本願発明では、「前記子画面移動モードの選択時には、前記カーソルの表示形状を変更させる」ようにしているのに対し、引用発明では、そのような点についても開示がない点。
　
４．判断
　そこで以下上記相違点について判断する。
［４．１］相違点（１）について
  前記引用例２には、その前掲記載（イ）、（ロ）に示されるとおり、テレビジョン画像のメニューフィールドに表示された４つの付加的なプログラムの小さい画像の１つにカーソルを移動してクリックすることで対応したプログラムを主プログラムとして選択したり、また、カーソルによって付加的なプログラムの小さい画像の表示位置をスクリーン上で自由に選択できるようにしたテレビジョン受信機が開示されており、特に前掲記載（ロ）によれば、このテレビジョン受信機では、上記小さい画像（本願発明でいう子画面）の表示位置を選択するモードにおいて、カーソルのｘ，ｙ座標値によりフレームメモリ中の小さい画像の書込アドレスを変化させるというのであるから、このモードではカーソル移動データが子画面移動データとして用いられていることが明らかで、また、このようなモードと他のモード（上記メニューフィールドに表示された４つの小さい画像の１つを選択するモード）とを随時選択する上で、上記テレビジョン受信機でも適宜のモード選択手段が設けられるべきことは特に明示がなくとも明らかである。
　そうすると、引用例２には、本願発明でいう「通常モードと子画面移動モードとを選択的に選択するモード選択手段を設け、前記子画面移動モード選択時には、カーソル移動データを子画面移動データとして用い」るとの上記相違点（１）に係る構成と変わりがない構成が開示されているといえ、かかる引用例２開示のテレビジョン受信機での構成を、子画面表示ができるテレビジョン受像機として変わりがない引用発明のテレビジョン受像機に適宜適用することは当業者に想到容易な事項というべきであるから、上記相違点(１)において本願発明が引用発明に比し格別のものであるとすることはできない。
［４．２］相違点(２)について
  本願発明において子画面移動モードの選択時にカーソルの表示形状を変更させている点は、明細書の記載に照らすと、要はカーソル表示の変更によってユーザが子画面移動モードとなったことを容易に確認できるようにしたものといえるところ、この点では、引用例２のテレビジョン受信機でも、前掲記載（イ）、（ロ）から明らかなように、子画面移動モードの選択時には、カーソル表示をカーソルｃｒの表示から十字カーソルｒｋと長方形フレームカーソルｒｒの表示に変更しているのであるから、同様のカーソル表示の変更がなされているといえる。もっとも、引用例２での上記カーソル表示の変更は、本願発明のように「カーソルの表示形状」を変更するものとはいえないが、一般にカーソルの表示形状を変更することでカーソル表示の変更を行うこと自体は常套のことで（必要があれば特開平３−２６９６１２号公報（特に第６図）等参照）、上記子画面移動モードの選択時におけるカーソル表示の変更手法として本願発明のように上記常套の手法を採用することは、当業者が設計上適宜なし得た程度のことというべきである。したがって、本願発明が上記相違点(２)に係る構成において格別のものであるとは認められない。
　
　以上判断したとおり、本願発明における上記相違点(１)、(２)に係る構成は、いずれも当業者に想到し難い格別のものであるとはいえず、また本願発明の効果についてみても、上記構成の採用に伴って当然に予測される程度のものにすぎず、格別顕著なものがあるとは認められない。
　
５．むすび
　以上のとおりであるから、本願発明は、引用例１、２に記載された発明に基づいて当業者が容易に発明をすることができたものであり、したがって特許法第２９条第２項の規定により特許を受けることができない。
　よって、結論のとおり審決する。